(57)【要約】【課題】表示パネルを見ながら操作をしている状態で背面側に立つ人が表示パネルを覗き込んでいるか否かを確かめることを可能にする。【解決手段】使用者の操作を受け付ける操作パネル７と画像を表示する表示パネル４とがはめ込まれた筐体２，１に所定の電子部品を収納してなり、外部装置と無線通信を行う携帯通信端末において、前記筐体１の前記表示パネル４近傍に該表示パネル４に対向する使用者の背後を映し出す後方確認鏡Ｍを備える。【選択図】図１
2008085704.tif 000002
【特許請求の範囲】
【請求項１】
使用者の操作を受け付ける操作パネルと画像を表示する表示パネルとがはめ込まれた筐体に所定の電子部品を収納してなり、外部装置と無線通信を行う携帯通信端末において、
前記筐体の前記表示パネル近傍に該表示パネルに対向する使用者の背後を映し出す後方確認鏡を備えることを特徴とする携帯通信端末。
【請求項２】
前記筐体は、前記表示パネルがはめ込まれた第１部材と、該第１部材と前記表示パネルの厚さ方向に重ね合わせられることにより前記第１部材との間に所定容積の空間を形成する第２部材とが、前記表示パネルの周囲に設けられたネジにより固定されて形成され、
前記後方確認鏡は、前記ネジを覆い隠すように設けられている
ことを特徴とする請求項１に記載の携帯通信端末。
【請求項３】
前記筐体の前記表示パネル上方中央部に、音声を発するスピーカを配置し、
前記後方確認鏡は、前記スピーカの両脇に配置されている
ことを特徴とする請求項１又は２に記載の携帯通信端末。
【請求項４】
前記後方確認鏡は、前記筐体の前記表示パネルの周囲の一部分に配置されている
ことを特徴とする請求項１又は２に記載の携帯通信端末。
【請求項５】
前記後方確認鏡は、前記筐体の前記表示パネルの周囲の複数箇所に配置されている
ことを特徴とする請求項１又は２に記載の携帯通信端末。
【請求項６】
前記後方確認鏡は、前記筐体の前記表示パネルの周囲を囲むように配置されている
ことを特徴とする請求項１又は２に記載の携帯通信端末。
【請求項７】
前記後方確認鏡は、少なくとも一部が前記表示パネルよりも突出している
ことを特徴とする請求項１から６の何れかに記載の携帯通信端末。
【発明の詳細な説明】
【技術分野】
【０００１】
本発明は、携帯通信端末に関する。
【背景技術】
【０００２】
通信端末装置の一つである携帯電話機は、多くは表示パネルを備えている。表示パネルを備える携帯電話機においては、電話をかける際には相手先の電話番号が表示パネルに表示されたり、また、インターネットに接続する機能を有する機種では表示パネルにユーザＩＤやパスワードが表示されたりする。電話番号やユーザＩＤ、パスワード等が不特定多数に知られるのは望ましくないので、携帯電話機の使用者は、表示パネルの表示内容を覗き込むことができる周囲の人に注意しながら操作する。
【発明の開示】
【発明が解決しようとする課題】
【０００３】
しかしながら、携帯電話の使用者は、表示パネルを見ながら操作をしている状態では、背面側を見ることができないので、背面側に立つ人が表示パネルを覗き込んでいるか否かを確かめることができない。
【０００４】
本発明は、上述した事情に鑑みてなされたもので、表示パネルを見ながら操作をしている状態で背面側に立つ人が表示パネルを覗き込んでいるか否かを確かめることを可能とすることを目的とする。
【課題を解決するための手段】
【０００５】
上記課題を解決するために、本発明では、第１の手段として、使用者の操作を受け付ける操作パネルと画像を表示する表示パネルとがはめ込まれた筐体に所定の電子部品を収納してなり、外部装置と無線通信を行う携帯通信端末において、前記筐体の前記表示パネル近傍に該表示パネルに対向する使用者の背後を映し出す後方確認鏡を備えることを特徴とする携帯通信端末を採用した。
【０００６】
また、第２の手段として、上記第１の手段に係る携帯通信端末において、前記筐体は、前記表示パネルがはめ込まれた第１部材と、該第１部材と前記表示パネルの厚さ方向に重ね合わせられることにより前記第１部材との間に所定容積の空間を形成する第２部材とが、前記表示パネルの周囲に設けられたネジにより固定されて形成され、前記後方確認鏡は、前記ネジを覆い隠すように設けられているものを採用した。
【０００７】
第３の手段として、上記第１又は２の手段に係る携帯通信端末において、前記筐体の前記表示パネル上方中央部に、音声を発するスピーカを配置し、前記後方確認鏡は、前記スピーカの両脇に配置されているものを採用した。
【０００８】
第４の手段として、上記第１又は２の手段に係る携帯通信端末において、前記後方確認鏡は、前記筐体の前記表示パネルの周囲の一部分に配置されているものを採用した。
【０００９】
第５の手段として、上記第１又は２の手段に係る携帯通信端末において、前記後方確認鏡は、前記筐体の前記表示パネルの周囲の複数箇所に配置されているものを採用した。
【００１０】
第６の手段として、上記第１又は２の手段に係る携帯通信端末において、前記後方確認鏡は、前記筐体の前記表示パネルの周囲を囲むように配置されているものを採用した。
【００１１】
第７の手段として、上記第１から６の何れかの手段に係る携帯通信端末において、前記後方確認鏡は、少なくとも一部が前記表示パネルよりも突出しているものを採用した。
【発明の効果】
【００１２】
本発明によれば、表示パネルの近傍に後方確認鏡を備えるので、表示パネルを見ながら操作をしつつ後方確認鏡の鏡像を確認することによって、背面側に立つ人が表示パネルを覗き込んでいるか否かを確かめることができる。
【発明を実施するための最良の形態】
【００１３】
以下、本発明の一実施形態について、図面を参照して説明する。図１は、本実施形態における携帯電話機の外観を示す斜視図である。携帯電話機は、表示側本体１と操作側本体２とを有している。表示側本体１と操作側本体２とは、互いの一端部をヒンジ構造３によって回動自在に連結されていて、これにより、携帯電話機は、表示側本体１と操作側本体２とを重ね合わせた状態に折り畳み可能となっている。
【００１４】
表示側本体１は、表示パネル４がはめ込まれスピーカ５及び後方確認鏡Ｍが配設された表示側筐体６内に、不図示の各種電子部品を収納してなる。また、操作側本体２は、操作パネル７がはめ込まれマイク８が配設された操作側筐体９内に、不図示の各種電子部品を収納してなる。なお、表示パネル４は、携帯電話機を折り畳んだ状態で表示側筐体６の内側となる部分にはめ込まれている。操作パネル７は、携帯電話機を折り畳んだ状態で操作側筐体９の内側となる部分にはめ込まれている。
【００１５】
上記各種電子部品の主要なものとしては、プリント配線板がある。プリント配線板は、集積回路、抵抗器、コンデンサー等の部品を実装し、これらの部品間を接続して電子回路を構成する配線を形成した板状またはフィルム状の部品であって、下記の記憶部及び制御部を構成する。
【００１６】
記憶部は、制御部による制御の下に、各種設定値やアドレス帳、電子メール、ＵＲＬ（Uniform Resource Locator）等を記憶する。
制御部は、内部メモリに記憶された制御プログラムや記憶部に記憶された各種設定値、操作パネル７から入力される使用者の操作内容に基づいて、本携帯電話機の全体の動作を制御するものであって、表示パネル４に画像を表示させたり、使用者が操作パネル７に行った操作を受け付けたり、基地局等の外部装置と無線通信を行う等、携帯電話機の各種機能を実現する。
【００１７】
表示パネル４は、上記制御部による制御の下に画像を表示するものであって、例えば、使用者が携帯電話機にて電話をかける際には相手先の電話番号を表示し、また、使用者が携帯電話機にてインターネットに接続している際に使用者が必要に応じて操作パネル７により入力したユーザＩＤやパスワードを表示する。
スピーカ５は、上記制御部による制御の下に音声を発するものであって、例えば、使用者が携帯電話機にて電話をかけている際には通話相手の声を模した音声を発し、また、使用者に対して何らかの注意を喚起する際に電子音を発する。このようなスピーカ５は、表示パネル４の上方に配設されている。
【００１８】
後方確認鏡Ｍは、表示パネル４の上方であってスピーカ５の下方である位置に、表示パネル４と略同方向に鏡面を向けて配設されている。
操作パネル７は、携帯電話機の使用者により操作されるものであって、該操作に応じた信号を上記制御部に出力する。
マイク８は、携帯電話機の周囲の音声を集音し、該音声に応じた信号を上記制御部に出力する。このようなマイク８は、操作パネル７の下方に配設されている。
【００１９】
このような構成において、使用者が、操作パネル７の操作を行うと、表示パネル４は、使用者の操作に応じた画像を表示する。具体的には、使用者が携帯電話機にて電話をかける際には相手先の電話番号を表示し、また、使用者が携帯電話機にてインターネットに接続している際に、使用者が操作パネル７によりユーザＩＤやパスワードを入力した場合には、ユーザＩＤやパスワードを表示する。
【００２０】
使用者は、表示パネル４に電話番号やユーザＩＤ、パスワードが表示されるとき、表示パネル４の上方に配設された後方確認鏡Ｍを見ることにより、必要に応じて、自己の背面側の様子を確かめられる。即ち、使用者は、表示パネル４を見ながら操作パネル７により操作をしつつ、背面側に立つ人がいるか否かを確かめることができ、また、背面側に立つ人がいた場合、その人物が表示パネル４を覗き込んでいるか否かを確かめることができる。これにより、使用者は、電話番号やユーザＩＤ、パスワード等、他者に知られることが好ましくない情報が表示パネル４に表示される際に、容易に周囲に注意を配ることができる。
【００２１】
なお、本実施形態では、表示パネル４の上方に後方確認鏡Ｍを配設したが、実施にあたっては、表示パネル４の近傍に後方確認鏡Ｍがあればよく、表示パネル４の両脇にそれぞれ後方確認鏡を配設してもよい。
【００２２】
図２は、他の実施形態を示すものであって、（ａ）は表示側本体１１の正面図、（ｂ）は（ａ）におけるＡ−Ａ方向から見た表示側本体１１の平面図である。
図２（ａ）に示すように、表示側本体１１の筐体１６には表示パネル１４がはめ込まれており、筐体１６の表示パネル１４の上方は、周囲よりも高く山型に形成され、該山型の頂部分にスピーカ１５が配設されている。更に、筐体１６のスピーカ１５の両脇には、後方確認鏡ｍ１、ｍ２が配設されている。
【００２３】
また、図２（ｂ）に示すように、筐体１６は、第１部材１６ａと第２部材１６ｂとをネジｓで固定されて形成されている。第１部材１６ａには、表示パネル１４がはめ込まれ、第２部材１６ｂは、第１部材１６ａと表示パネル１４の厚さ方向に重ね合わせられることにより、第１部材１６ａとの間に所定容積の空間を形成する。上記後方確認鏡ｍ１、ｍ２は、ネジｓを覆い隠すネジ隠しシートを兼ねている。
【００２４】
このような構成によれば、後方確認鏡ｍ１、ｍ２が使用者の斜め後方を映し出すよう所定の角度をつけることができると共に、筐体１６の表示パネル１４近傍の位置を突出させることによって、携帯電話機を誤って取り落とした場合等に表示パネル１４に傷がつくことを防止することができる。
また、後方確認鏡ｍ１、ｍ２がネジ隠しシートを兼ねることによって、部材を増加させることなく、使用者による後方確認を容易にすることができる。
【００２５】
図３は、表示側本体を正面から見た状態の模式図であって、後方確認鏡の設け方の他の例を示す。図３（ａ）は比較のために示したものであって、図１の表示パネル４の上方に後方確認鏡Ｍが設けられた表示側本体１と同様のものである。
【００２６】
後方確認鏡は、上記実施形態のような設け方に限らず、図３（ｂ）〜（ｉ）に示すような形状に設けられていてもよい。即ち、図３（ｂ）のように、後方確認鏡は、表示パネルを完全に囲むように設けられていてもよい。また、図３（ｃ）のように、後方確認鏡は、表示パネルの周囲の一部を開けて残りを囲むように設けられていてもよい。また、図３（ｄ）、（ｅ）及び（ｆ）のように、後方確認鏡は、表示パネルの周囲の１辺を開けて他の３辺を囲むように設けられていてもよい。また、図３（ｇ）のように、後方確認鏡は、表示パネルの両脇に設けられていてもよい。また、図３（ｈ）及び（ｉ）のように、後方確認鏡は、表示パネルの２辺を開けて他の２辺を囲むように設けられていてもよい。
【００２７】
ここで、図３（ｂ）、（ｃ）、（ｄ）、（ｅ）、（ｆ）、（ｈ）及び（ｉ）には、表示パネルの角部で屈曲させた後方確認鏡を図示しているが、実施にあたっては、表示パネルの角部で後方確認鏡が分割されていてもよい。即ち、複数の後方確認鏡を組み合わせて図３に示すような形状の後方確認鏡とされていてもよい。
【００２８】
なお、実施にあたっては、後方確認鏡を、凸面鏡等の広範囲を映し出すものとすることによって、使用者はより容易に周囲に注意を配ることができる。
【図面の簡単な説明】
【００２９】
【図１】本発明の一実施形態における携帯電話機の外観を示す斜視図である。
【図２】本発明の他の実施形態における携帯電話機の表示側本体の外観を示す図であって、（ａ）は正面図、（ｂ）は（ａ）におけるＡ−Ａ方向から見た平面図である。
【図３】本発明の他の実施形態における携帯電話機の表示側本体の外観を示す模式図である。
【符号の説明】
【００３０】
１…表示側本体、  ２…操作側本体、  ３…ヒンジ構造、  ４…表示パネル、  ５…スピーカ、  ６…表示側筐体、  ７…操作パネル、  ８…マイク、  ９…操作側筐体、  Ｍ…後方確認鏡、  １１…表示側本体、  １４…表示パネル、  １５…スピーカ、  １６…筐体、  １６ａ…第１部材、  １６ｂ…第２部材、  ｍ１、ｍ２…後方確認鏡、  ｓ…ネジ
【図１】
2008085704.tif 000003
【図２】
2008085704.tif 000004
【図３】
2008085704.tif 000005